(57)【要約】      （修正有）【課題】地球環境を汚染し温暖化を引き起こす合成樹脂接着剤を使用せずに、不朽性繊維質を成型して、都市緑化、屋上緑化、急勾配屋根緑化や壁面緑化等を容易にする植栽基盤材を提供すること。【解決手段】植物の根茎を利用して繊維質資材を固結させたことを特徴とする成型された繊維質緑化材。【選択図】なし【特許請求の範囲】
【請求項１】
植物の根茎を利用して繊維質資材を固結させたことを特徴とする成型された繊維質緑化材。
【請求項２】
繊維質資材が太さ１０ｍｍ以下９０％以上で長さ７０ｍｍ以下８５％以上である請求項１記載の材。
【請求項３】
繊維質資材が難腐敗性の樹皮繊維質資材、天然繊維質資材または合成繊維質資材である請求項１記載の材。
【請求項４】
樹皮繊維質資材がスギ、ヒノキ、ヒバもしくはアスナロの樹皮またはヤシガラ由来である請求項３記載の材。
【請求項５】
植栽基盤材、断熱材または壁材として使用する請求項１記載の材。
【発明の詳細な説明】
【技術分野】
【０００１】  本発明は都市緑化のための植栽基盤（土壌材）等として有用な繊維質緑化材に関する。
【背景技術】
【０００２】  都市緑化のための植栽基盤材として使用される特殊針葉樹皮改良材は、スギ科またはヒノキ科（ヒノキ、ヒバ、アスナロなど）などの針葉樹の樹皮に保水性を持たせる加工を施したものである。特殊針葉樹皮改良材は、気相率が大きく適度な保水性と通水性を有し、かつ針葉樹皮が本来有する殺菌効果により植物の良好な生育が図られるため、屋上緑化などの人工地盤上における土壌代替材として期待が持たれている。【０００３】  しかし、特殊針葉樹皮改良材は繊維質からなる材料であり、敷き均す際に平らにすることが難しく施工性が悪いため、多くの人手と時間を要する。また、軽量であるため、形状維持が難しく、壁面に使用すると脱落し易く風によって剥がれることも課題である。
このため、特殊針葉樹皮改良材をブロック状、シート状または板状等に固めて成型化したものを敷き詰めれば敷設が可能となり、風によって剥がれることもなくなる。固めるに際して、モルタル等を使用した場合には、特殊針葉樹皮改良材の利点である膨軟性を失ってしまうばかりか、重量が重くなってしまう。また、化学的に製造された合成樹脂接着剤で固めた場合には、コスト高に加え環境への負荷が大きくなってしまう。こうした状況から、環境に優しく、簡便かつ安価な手法で特殊針葉樹皮改良材を固形化する技術が望まれていた。
【発明の概要】
【発明が解決しようとする課題】
【０００４】  本発明の目的は、地球環境を汚染し温暖化を引き起こす合成樹脂接着剤を使用せずに、不朽性繊維質を成型して、都市緑化、屋上緑化、急勾配屋根緑化や壁面緑化等を容易にする植栽基盤材を提供することにある。
【課題を解決するための手段】
【０００５】  本発明者らは、固形化するには合成樹脂接着剤を使用するとの学会、業界の常識にとらわれず鋭意研究を重ねた結果、従来の概念では考えられなかった植物の根茎による結合力により不朽性繊維質資材を簡易な方法で固めることを知見し、さらに研究を重ねて本発明を完成した。【０００６】  即ち、本発明は、植物の根茎を利用して繊維質資材を固結させたことを特徴とする成型された繊維質緑化材に関する。
【発明の効果】
【０００７】  本発明の繊維質緑化材は、合成樹脂接着剤を使用せず植物の根茎を利用して固結させているので、環境や植栽する植物体に優しい。また、軽量である一方で適度な強度を有しており、ブロック状、シート状または板状などに成型しやすい。
さらに、繊維質資材を使用しているため、細根の発達が良好であり、通気性が良いために乾燥しやすい。
特に、繊維質資材として、難腐敗性の樹皮繊維質資材を用いた場合には、樹皮繊維質由来の殺菌力、殺虫力、適度な通気性、保水性及び通水性により、繊維質資材を固結させるための植物の根茎の成長や植栽する植物体の育成に良好である。
【発明を実施するための形態】
【０００８】  本発明で用いられる「繊維質資材」としては、難腐敗性の樹皮繊維質資材、天然繊維質資材または合成繊維質資材等が挙げられる。
難腐敗性の樹皮繊維質資材としては、スギ科またはヒノキ科（スギ、ヒノキ、ヒバまたはアスナロ）等の針葉樹皮繊維質またはヤシガラ繊維質等が用いられる。
天然繊維質資材としては、木綿、麻または毛糸等が用いられ、合成繊維質としては、ナイロンまたはポリエステル系繊維やポリビニール系繊維等が用いられる。これら天然又は合成繊維質は裁ちクズ等不用品となった産廃品が有効出来るメリットがある。
本発明で用いられる「繊維質資材」は、繊維太さ１０ｍｍ以下（好ましくは５ｍｍ以下）９０％以上で、繊維長さ１００ｍｍ以下（好ましくは７０ｍｍ以下）８５％以上である。
また、２０℃、ＲＨ９８％以上の条件で１年間保存して、繊維質の分解率が２０％以下、好ましくは７．５％以下である。なお、繊維質の分解率は、２０℃の水中に２時間振とう抽出して、水中に溶出するチッソ分を測定することで算出する。
本発明で用いられる「繊維質資材」としては、天然の殺菌力及び殺虫力成分を含有し、更に適度な保水性と通水性を有し、植物の根腐病も防ぎ植物の良好な生育が図れるという点で、難腐敗性の樹皮繊維質資材が好ましく、天然及び合成繊維質資材は、任意に混合して使用出来、その制限はない。
【０００９】  本発明で用いられる「植物の根茎」としては、緑化する目的、場所により適宜選択することができ、細根性の草本類・木本類の根茎であれば特に限定されない。成長が速く細根が生える草本類、例えば、芝生、クローバー、ダイカンドラ、イワダレソウ、ヘデラ等の地被植物やツル性植物の根茎が好ましい。
【００１０】  本発明の「繊維質緑化材」は、植物の根茎を利用して繊維質資材を固結させて、成型することにより製造できる。具体的には、繊維質資材をすき間のないプラスチックケースまたは平らな地面に敷き均し（通常３〜２０ｃｍ程度の厚さで、用途に応じて厚さを決定する）、必要に応じて施肥し、その上に植物の種子を撒く。そのまま数十日間植物を生育させ、根茎が資材の最下部まで十分に伸長した頃に、資材をケースまたは地面から取り外す。あらかじめ資材に一定規格の仕切りを設置しておけば、資材に植物根茎が絡まり、一定規格に成型された繊維質緑化材が完成する。
繊維質緑化材の上部に残る植物体については、そのまま施工して活用することも可能である。様々な植物を育成させる基盤となる場合は、繊維質緑化材の上部に残る植物体は刈り取り、乾燥させて保存し、施工時に使用する。
【００１１】  本発明において、繊維質資材を入れる型の形状によって、自由な形状の緑化成型品を成型することが可能となる。各種形状の型枠材を設置しておけば、任意の形状の成型品が完成する。例えば、通常よく使用されるブロック状、シート状、板状の他、棒状、円柱状、植木鉢状、円盤状、円錐状、三角錐状、細長いレール状、タタミ状、マット状、湾曲状等任意に成型できる。
壁面緑化などでは、材の引っ掛け部や植栽穴を設ける必要があるので、あらかじめ成型時に穴を開けておくと施工時に有効である。また、あらかじめ灌水用チューブも埋め込んでおくこともできる。植物を埋め込む穴や溝を付けたり、固定用の凹凸を付けたり任意な形にできる。
【００１２】  本発明の「繊維質緑化材」は、植栽基盤材として、屋上緑化等の人工地盤面に施工し、芝生、地被植物、草花、野菜類または木本類等を植えて多様な緑化を行うことができる。特に、樹種や現場の形状に伴って、植栽基盤に特殊な形状が求められる場合には、所要の形状のブロック等にあらかじめ成型しておけばよい。加えて、アスファルトやコンクリートなどの人工地盤上に仮設的に即時緑化が施せるので、スポーツをはじめとした各種イベントで活用できる。
また、全天候型舗装の陸上競技場において、ブロック状に成型した本発明品を用いれば、臨時的にサッカー場やラグビー場等の芝舗装に変更でき、撤去も容易である。舗装面の強度等の仕様を公式競技用仕様まで高められれば、ワールドカップ等にも利用できるので、専用の競技場を新たに設置する必要はなくなる。
壁面緑化についても、壁の形状に合わせてあらかじめ所要のブロックや板状に成型できるので、施工時の取り付けや維持管理が容易となる。また、傾斜屋根においては、ブロックを並べる簡便な施工によって、ブロックの滑落が防げ、傾斜屋根の緑化にも有効である。
さらに、断熱効果にも優れているので、断熱材として利用することもできる。
【実施例】
【００１３】  次に実施例を示すが、本発明はこれらに限定されるものではない。
【実施例１】  不朽性表面活性樹皮繊維（商品名：Ｅソイル；（株）大林環境技術研究所製）をプラスチック容器に厚さ１５ｃｍに敷き均し、専用肥料（商品名：グリーンエナジー；（株）大林環境技術研究所製）を１ｍ２当り０．１５ｋｇ施肥した。ノシバ種子１ｍ２当り１０ｇを播種し表面深さ３〜５ｃｍに攪拌混合し、転圧し、散水して、３０日間養生し芝生ブロック製品を得た。そのまま、陸屋根屋上、勾配屋根屋上、壁面およびグランドに敷き均し設置した。
また、芝生ブロック製品の芝生を刈り取りそのまま乾燥して芝生を枯らし、倉庫に保管後、施工時に取り出し、直ぐに敷き均し、その上に芝生、地被植物、草花、果菜類、木本類を植えた。
いずれのブロック製品も植物が良好に生育し、多様な緑化を行うことができた。
【実施例２】
【００１４】  不朽性表面活性樹皮繊維（商品名：Ｅソイル；（株）大林環境技術研究所製）に毛糸クズ２５％（容石比）混合品）をビニールシートの上に厚さ６．５ｃｍに敷き均し、専用肥料（商品名：グリーンエナジー；（株）大林環境技術研究所製）を１ｍ２当り０．１ｋｇ施肥した。芝生種子１ｍ２当り５．５ｇを播種し、Ｅソイルに攪拌混合し、転圧し、散水して、４０日間養生し芝生シート製品を得た。これを公園広場通路、イベント会場床に張った。
施工即完成で養生期間の不要な簡便な緑化を行うことができた。
【実施例３】
【００１５】  不朽性表面活性樹皮繊維（商品名：Ｅソイル；（株）大林環境技術研究所製）を木製容器に厚さ２５ｃｍに敷き均し、専用肥料（商品名：グリーンエナジー；（株）大林環境技術研究所製）を１ｍ２当り０．１８ｋｇ施肥した。ケンタッキーブルーグラス種子１ｍ２当り２５ｇを播種し、Ｅソイルに攪拌混合し、転圧し、散水して、２０日間養生した。その後、１０ｃｍの植穴を開け、草花やバラの低木を植えた。壁面に取付用ボルト穴を開け、その緑化ブロック製品を壁面に取り付けた。
いずれのブロック製品も植物が良好に生育し、壁面緑化を行うことができた。
【実施例４】
【００１６】  スギ、ヒノキ樹皮を繊維太さ０．５ｃｍ以下、繊維長さ５．５ｃｍ以下に粉砕加工したものを、金属製容器に厚さ３０ｃｍに敷き均し、専用肥料（商品名：グリーンエナジー；（株）大林環境技術研究所製）を１ｍ２当り０．２ｋｇ施肥したバミューダグラス種子１ｍ２当り３０ｇを播種し、Ｅソイルに攪拌混合し、転圧し、散水して、２５日間養生した。その後、幼稚園園庭、サッカーグランド、ベランダに敷き均した。
いずれのブロック製品も芝生が良好に生育し、即席の緑化を行うことができた。
【実施例５】
【００１７】  木綿繊維クズ（繊維太さ０．０３〜０．１０ｃｍ、繊維長さ０．２〜７．２ｃｍ）をプラスチック容器に厚さ８ｃｍに敷き均し、化成粒状肥料１ｍ２当り０．０６ｋｇ施肥した。イワダレソウの切断した茎葉を１ｍ２当り１００ｇ蒔き、木綿繊維クズに攪拌、混合し転圧し散水して、４０日間養生した。イワダレソウの切断した茎葉より発根した根により木綿繊維クズを固化させ、植穴を開け草花を植え、シャトルバスの屋根に取り付けた。
いずれのブロック製品も植物が良好に生育し、おしゃれなデザインのシャトルバスの緑化を行うことができた。